(57)【要約】【課題】床天板上の作業空間を枠体で囲むことにより安全な作業を可能にすると共に、作業者が床天板を乗降する際の安全性と利便性を期した脚立式作業台に関する。【解決手段】昇降脚(2A)に臨む出入口(35)を除いて作業空間の三方を囲む枠体(6)を設け、前記出入口(35)を左右から開閉自在とする左右ロッド(37)を備えた開閉機構(36)を構成しており、枠体(6)の左右フレーム(9)を固定軸手段(40)として前記左右ロッド(37)を回動自在に軸支する軸支機構(38)と、該左右ロッド(37)を水平姿勢及び起立姿勢とした状態で左右フレーム(9)に係脱自在に係止固定するロック機構(39)を設けており、前記ロック機構(39)は、前記軸支機構(38)の相互に回動する部材の間において、突出方向に付勢された押込み式の係止ピン(46)と、前記係止ピンを挿通係止する係止孔(48)により構成され、押込まれた係止ピン(46)を係止孔(48)に向けて自動ロックするように構成されている。【選択図】図３
2015113595.tif 000002
【特許請求の範囲】
【請求項１】
第１脚体(2)と第２脚体(3)を開閉可能に枢結すると共に前記第１脚体により昇降脚(2A)を構成し、両脚体に架設した床天板(5)の上方に前記昇降脚に臨む出入口(35)を有する作業空間を形成すると共に、前記作業空間の前記出入口を除く三方を囲む左右フレーム(9)と交差フレーム(10)を備えた枠体(6)を設けて成る脚立式作業台において、
前記出入口(35)を左右から開閉自在とする左右ロッド(37)を備えた開閉機構(36)を設けており、前記左右ロッド(37)は、相互に対向する水平姿勢とされた状態で前記出入口を閉鎖し、相互に離間する起立姿勢とされた状態で前記出入口を開放するように構成され、
前記左右フレーム(9)を固定軸手段(40)として該固定軸手段(40)の軸線(X)の廻りに前記左右ロッド(37)を回動自在に軸支する回動軸手段(41)を設けた軸支機構(38)と、該左右ロッド(37)を前記水平姿勢及び起立姿勢とした状態で前記左右フレーム(9)に係脱自在に係止固定するロック機構(39)を設けており、
前記ロック機構(39)は、前記軸支機構(38)の相互に回動自在に嵌合された前記固定軸手段(40)と回動軸手段(41)の間において、突出方向に付勢された押込み式の係止ピン(46)と、前記係止ピンを挿通係止する係止孔(48)により構成され、押込まれた係止ピン(46)を係止孔(48)に向けて自動ロックするように構成されて成ることを特徴とする脚立式作業台。
【請求項２】
前記左右ロッド(37)は、起立姿勢とした状態で、前記ロック機構(39)により係止固定され、床天板(5)に乗降する作業者が握持可能なグリップ手段を構成して成ることを特徴とする請求項１に記載の脚立式作業台。
【請求項３】
前記回動自在に嵌合された固定軸手段(40)と回動軸手段(41)の一方により構成された内嵌部材と他方により構成された外嵌部材に関して、
前記ロック機構(39)は、内嵌部材の表面にバネ手段(45a)を介して出没自在に突出された係止ピン(46)と、外嵌部材の周方向に離間して設けられた第１係止孔(48a)及び第２係止孔(48b)により構成され、前記水平姿勢に対応する位置に回動軸手段(41)を回動したとき前記係止ピン(46)を第１係止孔(48a)に係止させ、前記起立姿勢に対応する位置に回動軸手段(41)を回動したとき前記係止ピン(46)を第２係止孔(48b)に係止させるように構成して成ることを特徴とする請求項１又は２に記載の脚立式作業台。
【請求項４】
拡開方向に付勢された第１バネ手段(45a)と第２バネ手段(45b)を備えたＵ形の板バネ(45)を前記内嵌部材に内装しており、
前記第１バネ手段(45a)に前記係止ピン(46)を設け、挿通孔(47a)を介して内嵌部材から出没自在に突出させると共に前記係止孔(48a)(48b)に係脱自在に係止することにより前記ロック機構(39)を構成し、
更に、前記第２バネ手段(45b)を含んで位置決め固定機構(49)を構成しており、
前記位置決め固定機構(49)は、前記水平姿勢に対応する位置に形成された第１端部(51a)と前記起立姿勢に対応する位置に形成された第２端部(51b)の間で前記外嵌部材の周方向に延設されたスリット(51)と、前記第２バネ手段(45b)から前記内嵌部材の表面に突出するガイドピン(50)により構成されており、前記ガイドピン(50)を前記スリット(51)に摺動自在に挿通して成ることを特徴とする請求項３に記載の脚立式作業台。
【請求項５】
前記係止ピン(46)は、第１バネ手段(45a)に抗して前記挿通孔(47a)の内部に没入可能に構成され、
前記ガイドピン(50)は、前記内嵌部材の挿通孔(47b)を介して出没自在に突出されると共に、第２バネ手段(45b)に抗して前記挿通孔(47b)の内部に没入可能に構成されており、
前記係止ピン(46)及びガイドピン(50)をそれぞれの挿通孔(47a)(47b)の内部に没入させることにより、前記左右ロッド(37)を保持した回動軸手段(41)を固定軸手段(40)に対して着脱可能となるように構成して成ることを特徴とする請求項４に記載の脚立式作業台。
【発明の詳細な説明】
【技術分野】
【０００１】
本発明は、高所作業のための床天板を設けた脚立式作業台において、作業空間に枠体を設けることにより安全な作業を可能にすると共に、作業者が床天板を乗降する際の安全性と利便性を期し、更に、枠体と共にコンパクトに折畳み可能とした脚立式作業台に関する。
【背景技術】
【０００２】
開閉自在な第１脚体と第２脚体に床天板を架設し、床天板の上方に形成される作業空間に枠体を設けた脚立式作業台が提案されている。
【０００３】
この際、作業者が床天板を乗降する際の容易性を考慮し、枠体は、作業空間の出入口を除く三方を囲むように形成されており、前記出入口を開閉自在に閉鎖する閉鎖部材を設けている。
【先行技術文献】
【特許文献】
【０００４】
【特許文献１】登録実用新案第３１８０６２９号公報
【発明の概要】
【発明が解決しようとする課題】
【０００５】
上記特許文献１により提案された脚立式作業台は、第１脚体の左右一対の支柱を上方に延長し、該延長部に軸着手段を設け、該軸着手段に軸着された左右の閉鎖部材を水平姿勢と起立姿勢の間で回動自在となるように構成している。
【０００６】
しかしながら、左右の閉鎖部材は、起立姿勢とした状態で、ストッパにより起立姿勢を保持するが、外力により自由に水平姿勢に向けて回動するため、乗降中の作業者が閉鎖部材を握持すると簡単に回動し、作業者の姿勢を不安定としてしまい、落下事故を招来する危険がある。
【０００７】
また、水平姿勢とした左右の閉鎖部材により出入口を閉鎖した状態で、左右の閉鎖部材を回動不能とするロック部材を設けているが、ロック部材は、左右の閉鎖部材を連結可能とする部材により構成されている。このため、出入口から床天板に作業者が搭乗した後、閉鎖部材を水平姿勢まで回動する作業と、その後にロック部材を操作して閉鎖部材を連結する作業の２つの作業が必要となり、煩雑である。そして、作業者がこのような煩雑な作業を怠ると、閉鎖部材が簡単容易に回動し、出入口を開放するおそれがあるので、本来の目的である安全性が半減することになる。
【０００８】
更に、特許文献１の場合、枠体の折り畳み機構と、両脚体の枢結手段による開閉機構を別々に構成しているので、閉脚に際して、両脚体を閉脚する作業と、枠体を水平姿勢から鉛直姿勢に姿勢変更させる作業の２作業が必要となり、同様に開脚に際しても、両脚体を開脚する作業と、枠体を鉛直姿勢から水平姿勢に姿勢変更させる作業の２作業が必要とされており、煩雑であるという問題もある。
【課題を解決するための手段】
【０００９】
本発明は、上記課題を解決した脚立式作業台を提供するものであり、その手段として構成したところは、第１脚体と第２脚体を開閉可能に枢結すると共に前記第１脚体により昇降脚を構成し、両脚体に架設した床天板の上方に前記昇降脚に臨む出入口を有する作業空間を形成すると共に、前記作業空間の前記出入口を除く三方を囲む左右フレームと交差フレームを備えた枠体を設けて成る脚立式作業台において、前記出入口を左右から開閉自在とする左右ロッドを備えた開閉機構を設けており、前記左右ロッドは、相互に対向する水平姿勢とされた状態で前記出入口を閉鎖し、相互に離間する起立姿勢とされた状態で前記出入口を開放するように構成され、
前記左右フレームを固定軸手段として該固定軸手段の軸線の廻りに前記左右ロッドを回動自在に軸支する回動軸手段を設けた軸支機構と、該左右ロッドを前記水平姿勢及び起立姿勢とした状態で前記左右フレームに係脱自在に係止固定するロック機構を設けており、前記ロック機構は、前記軸支機構の相互に回動自在に嵌合された前記固定軸手段と回動軸手段の間において、突出方向に付勢された押込み式の係止ピンと、前記係止ピンを挿通係止する係止孔により構成され、押込まれた係止ピンを係止孔に向けて自動ロックするように構成されて成る点にある。
【００１０】
前記左右ロッドは、起立姿勢とした状態で、前記ロック機構により係止固定され、床天板を乗降する作業者が握持可能なグリップ手段を構成する。
【００１１】
本発明の好ましい実施形態においては、前記回動自在に嵌合された固定軸手段と回動軸手段の一方により構成された内嵌部材と他方により構成された外嵌部材に関して、前記ロック機構は、内嵌部材の表面にバネ手段を介して出没自在に突出された係止ピンと、外嵌部材の周方向に離間して設けられた第１係止孔及び第２係止孔により構成され、前記水平姿勢に対応する位置に回動軸手段を回動したとき前記係止ピンを第１係止孔に係止させ、前記起立姿勢に対応する位置に回動軸手段を回動したとき前記係止ピンを第２係止孔に係止させるように構成されている。
【００１２】
好ましくは、拡開方向に付勢された第１バネ手段と第２バネ手段を備えたＵ形の板バネを前記内嵌部材に内装しており、前記第１バネ手段に前記係止ピンを設け、挿通孔を介して内嵌部材から出没自在に突出させると共に前記係止孔に係脱自在に係止することにより前記ロック機構を構成し、更に、前記第２バネ手段を含んで位置決め固定機構を構成しており、前記位置決め固定機構は、前記水平姿勢に対応する位置に形成された第１端部と前記起立姿勢に対応する位置に形成された第２端部の間で前記外嵌部材の周方向に延設されたスリットと、前記第２バネ手段から前記内嵌部材の表面に突出するガイドピンにより構成されており、前記ガイドピンを前記スリットに摺動自在に挿通している。
【００１３】
この際、前記係止ピンは、第１バネ手段に抗して前記挿通孔の内部に没入可能に構成され、前記ガイドピンは、前記内嵌部材の挿通孔を介して出没自在に突出されると共に、第２バネ手段に抗して前記挿通孔の内部に没入可能に構成されており、前記係止ピン及びガイドピンをそれぞれの挿通孔の内部に没入させることにより、前記左右ロッドを保持した回動軸手段を固定軸手段に対して着脱可能となるように構成することが好ましい。
【発明の効果】
【００１４】
請求項１に記載の本発明によれば、床天板５の上に形成された作業空間の出入口３５を開閉する左右ロッド３７Ｒ、３７Ｌを設けた構成において、開閉のための軸支機構３８は、回動軸を構成する固定軸手段４０を枠体６の左右フレーム９により形成しているので、軸支構造を堅牢化できると共に、構造を簡素化できる利点がある。
【００１５】
そして、左右ロッド３７を水平姿勢及び起立姿勢の何れの姿勢とした状態でも、前記左右フレーム９により構成された固定軸手段４０に対して係止固定するロック機構３９を設けているので、作業等の安全が確保される。
【００１６】
特に、ロック機構３９は、押込み式の係止ピン４６を係止孔４８ａ、４８ｂに向けて自動ロックする構成とされているので、係止ピン４６を押込んで軸支機構３８を回動するワンタッチの操作だけで、出入口３５を開放又は閉鎖することができ、操作が簡単容易であると共に、開放状態又は閉鎖状態で、自動ロックを行うので、作業者がロック操作を忘れる等、操作を怠る場合でも、安全にロックされるという利点がある。
【００１７】
請求項２に記載の本発明によれば、起立姿勢とされた左右ロッド３７は、自動ロックにより回動不能な状態とされるので、乗降中の作業者が左右ロッド３７をグリップ手段として握持することができ、作業者の落下を防止し、安全性に寄与することができる。
【００１８】
請求項３に記載の本発明によれば、左右フレーム９により構成した固定軸手段４０と、該固定軸手段４０に回動自在に嵌合した回動軸手段４１の一方により構成された内嵌部材と他方により構成された外嵌部材に関して、内嵌部材にバネ手段４５ａを備えた係止ピン４６を設け、第１係止孔４８ａ及び第２係止孔４８ｂを設けた外嵌部材を前記固定軸手段４０に軸支させることにより、簡単に軸支機構３８とロック機構３９を構成することができるので、本発明の実施化が容易となる。
【００１９】
請求項４に記載の本発明によれば、開閉機構３６は、更に、前記係止ピン４６を設けた板バネ４５の第２バネ手段４５ｂを利用することにより、位置決め固定機構４９を構成しており、１個の板バネ４５により、係止ピン４６によるロック機構３９に加えて、ガイドピン５０による位置決め固定機構４９を形成するので、構造が簡単であり、該位置決め固定機構４９により、回動軸手段４１を固定軸手段４０に対して位置決め状態で円滑に回動させるガイド手段として機能すると共に、回動軸手段４１の抜止め固定手段として機能することができる。
【００２０】
この際、位置決め固定機構４９は、左右ロッド３７を水平姿勢及び起立姿勢としたときにガイドピン５０をスリット５１の第１端部５１ａ及び第２端部５１ｂに当接させるように構成しているので、係止ピン４６と第１係止孔４８ａ及び第２係止孔４８ｂによる自動ロック動作を好適に行わせることができ、しかも、回動軸手段４１の回動中は、スリット５１とガイドピン５０の相互摺動により、回動軸手段４１を抜止め状態で円滑に回動させることができる。
【００２１】
そして、ロック機構３９の係止ピン４６と位置決め固定機構４９のガイドピン５０をＵ形の板バネ４５の第１バネ手段４５ａと第２バネ手段４５ｂに設けることにより、回動軸手段４１を直径方向の２個所で周方向及び軸方向の両方向に対して固定する構成であるから、作業者が左右ロッド３７に身体を預ける等、外力を受けた場合でも、ガタツキや周方向又は軸方向の移動を生じることはなく、特に、左右ロッド３７により、作業者が身体を安定させるために握持することができるグリップ手段を提供することが可能となる。
【００２２】
請求項５に記載の本発明によれば、板バネ４５に設けた係止ピン４６とガイドピン５０を押し込み、それぞれの挿通孔４７ａ、４７ｂの内部に没入させることにより、左右ロッド３７を保持した回動軸手段４１を左右フレーム９により構成された回動軸手段４１に対して着脱可能としているので、ユーザが開閉機構３６を必要としない場合は、枠体６から簡単に取外すことができる便利がある。反対に、枠体６に対してユーザが開閉機構３６の取付けを必要とするときは、固定軸手段４０に回動軸手段４１を位置決めした状態で、挿通孔４７ａ、４７ｂから突出する前記係止ピン４６及びガイドピン５０を係止孔４８ａ（又は係止孔４８ｂ）及びスリット５１に挿通させるだけで、左右ロッド３７を含む開閉機構３６を簡単に組付けることがきる便利がある。
【００２３】
因みに、脚立式作業台１は、後述する実施形態のように構成しておけば、両脚体２、３を開脚状態から閉脚する際は、一方の脚体２と共に第１枢結手段１１を上昇させるだけで、枠体６により両脚体２、３の支柱２ａ、３ａを平行に折り畳んだ状態に閉脚することが可能であり、反対に、両脚体２、３を閉脚状態から開脚する際は、一方の脚体２と共に第１枢結手段１１を下降させるだけで、枠体６により両脚体２、３を開脚することが可能であり、ワンタッチの作業により、閉脚及び開脚と枠体６の折り畳み及び展開を同時に行うことができるという効果がある。
【図面の簡単な説明】
【００２４】
【図１】本発明の１実施形態に係る脚立式作業台の開脚状態を示す斜視図である。
【図２】本発明の１実施形態に係る脚立式作業台の開脚状態を示す側面図である。
【図３】作業空間を囲む枠体に設けた開閉機構の１実施形態を示しており、（Ａ）は出入口を閉鎖した状態の斜視図、（Ｂ）は出入口を開放した状態の斜視図である。
【図４】開閉機構の１実施形態の分解状態を示す斜視図である。
【図５】開閉機構の１実施形態の作用を示しており、（Ａ）はロッドを水平姿勢とした状態の斜視図、（Ｂ）はＡ−Ａ線断面図、（Ｃ）はＢ−Ｂ線断面図、（Ｄ）はロック機構の係止を解除した状態の断面図、（Ｅ）はロッドを起立姿勢としてロック機構を係止した状態の断面図である。
【図６】ロック機構の変形例を示しており、（Ａ）は第１変形例の断面図、（Ｂ）は第２変形例の断面図である。
【図７】脚体の支柱における延長柱部と枠体の枢結手段の構造及び作用を示しており、（Ａ）は開脚したときの枢結手段の状態を示す側面図、（Ｂ）は閉脚したときの枢結手段の状態を示す側面図である。
【図８】床天板と両脚体の間における移動連結手段の１実施形態を分解状態で示す斜視図である。
【図９】移動連結手段の１実施形態を示しており、（Ａ）は側面図、（Ｂ）はＡ−Ａ線断面拡大図である。
【図１０】移動連結手段の作用を示しており、（Ａ）は閉脚作動時の作用を示す断面図、（Ｂ）は閉脚完了状態を示す断面図である。
【図１１】脚立式作業台を開脚状態から閉脚する作業手順と作用を示しており、（Ａ）（Ｂ）（Ｃ）（Ｄ）は作業手順を順に示す側面図である。
【発明を実施するための形態】
【００２５】
以下図面に基づいて本発明の好ましい実施形態を詳述する。
【００２６】
図１及び図２に示すように、脚立式作業台１は、第１脚体２と第２脚体３を相互に上部の枢結手段４を介して開閉可能に枢結しており、両脚体２、３に架設される床天板５と、該床天板５の上方に配置された枠体６を備えている。尚、図１に鎖線で示すように、両脚２、３は、伸縮脚を構成することが好ましい。
【００２７】
第１脚体２は、左右の支柱２ａ、２ａを多段式の踏桟７により連結した昇降脚２Ａを構成し、第２脚体３は、左右の支柱３ａ、３ａを連結桟８により連結した非昇降脚３Ａを構成している。従って、両脚体２、３を開脚した状態で、作業者は、昇降脚２Ａから床天板５の上に昇降することが許され、非昇降脚３Ａからの昇降が禁止されている。
【００２８】
両脚体２、３は、それぞれの支柱２ａ、２ａ及び支柱３ａ、３ａから延びる延長支柱部２ｂ、２ｂと延長柱部３ｂ、３ｂを床天板５の上方に延設しており、床天板５の上方に作業空間を形成する。
【００２９】
前記枠体６は、断面矩形その他の形状とされたパイプ材により形成され、作業空間の三方を囲む左右フレーム９、９と交差フレーム１０を備えており、交差フレーム１０を非昇降脚３Ａの上方に配置し、作業空間を昇降脚２Ａに臨んで開放することにより、出入口３５（図３（Ｂ）参照）を形成している。従って、開脚状態において、昇降脚２Ａを昇降する作業者は、出入口３５を通過することにより床天板５に乗降することができる。
【００３０】
［開閉機構の実施形態］
図１ないし図５に示すように、前記作業空間の出入口３５を開閉するための開閉機構３６が設けられている。開閉機構３６は、前記出入口３５を左右から開閉自在とする左右ロッド３７Ｌ、３７Ｒ（昇降脚２Ａから出入口３５に向かう方向に対して左右を意味する。尚、以下、「ロッド３７」と総称する場合がある。）を設けており、左右ロッド３７Ｌ、３７Ｒは、図３（Ａ）に示すように、相互に対向する水平姿勢とされた状態で出入口３５を閉鎖し、図３（Ｂ）に示すように、相互に離間する起立姿勢とされた状態で出入口３５を開放するように構成されている。尚、本発明において、「起立姿勢」とは、図示のようにロッド３７を上向きとする姿勢が好ましいが、ロッド３７を下向きとする姿勢でも良く、両方の姿勢を含む意味であることを諒解されたい。
【００３１】
［軸支機構及びロック機構］
前記左右ロッド３７Ｌ、３７Ｒは、軸支機構３８により、枠体６の左右フレーム９、９の外周上で該フレーム９の軸線Ｘの廻りに回動自在に軸支され、該軸支機構３８には、ロッド３７を前記水平姿勢及び起立姿勢とした状態で前記左右フレーム９に係脱自在に係止固定するロック機構３９が設けられている。
【００３２】
図４に示すように、前記軸支機構３８は、前記出入口３５に臨む左右フレーム９、９の先端近傍部により形成された固定軸手段４０と、左右ロッド３７を保持する回動軸手段４１により構成されており、前記回動軸手段４１を固定軸手段４０に嵌合することにより前記水平姿勢と起立姿勢の間で回動自在に軸支する。このように軸支機構３８は、左右フレーム９により固定軸手段４０を構成するので、軸支構造を堅牢化できると共に、構造を簡素化できる利点がある。尚、図示の実施形態は、左右フレーム９により形成した固定軸手段４０を内嵌部材とし、筒体により形成した回動軸手段４１を外嵌部材として、回動自在に嵌合した構成を示しているが、反対に、パイプにより形成した固定軸手段４０に回動軸手段４１を挿入することにより嵌合し、固定軸手段４０を外嵌部材とし、回動軸手段４１を内嵌部材としても良い。
【００３３】
図示実施形態の外嵌部材を構成する円筒体から成る回動軸手段４１は、例えば、アルミニウムの押出成形材により形成され、周面から平行に突設する保持片４２、４３を備えており、該保持片４２、４３により左右ロッド３７の基端部を挟持すると共にリベット等で固着している。この際、図示下側の保持片４３は、回動軸手段４１の軸方向に延びる延長部４３ａを備え、該延長部４３ａと左右ロッド３７の周面の間に板状の補強部材４４を交差状に架設してリベット等で固着することにより、回動軸手段４１と左右ロッド３７の強固な一体構造を形成することが好ましい。
【００３４】
前記ロック機構３９は、拡開方向に付勢された第１バネ手段４５ａと第２バネ手段４５ｂを備えたＵ形の板バネ４５と、前記第１バネ手段４５ａの先端部に外向きに突設された係止ピン４６と、前記板バネ４５を内嵌部材（図例の場合は固定軸手段４０）に内装した状態で前記係止ピン４６を出没自在に突出させるように該固定軸手段４０に設けた挿通孔４７ａと、前記外嵌部材（図例の場合は回動軸手段４１）の周方向に離間して設けた第１係止孔４８ａ及び第２係止孔４８ｂ（図５参照）により構成されている。
【００３５】
前記第１係止孔４８ａ及び第２係止孔４８ｂは、前記水平姿勢に対応する位置に回動軸手段４１を回動したとき（図５（Ｃ）に示す状態）、前記係止ピン４６を第１係止孔４８ａに係止させ、前記起立姿勢に対応する位置に回動軸手段４１を回動したとき（図５（Ｅ）に示す状態）、前記係止ピン４６を第２係止孔４８ｂに係止させるように配置されている。
【００３６】
そこで、左右ロッド３７を図５（Ｃ）に示す水平姿勢から起立姿勢に向けて姿勢変更するように回動軸手段４１を回動するときは、図５（Ｄ）に示すように、指先等で係止ピン４６を第１バネ手段４５ａに抗して押込むことにより、第１係止孔４８ａから係止解除すれば、回動軸手段４１を起立姿勢に向けて回動することができる。この際、図示のように、係止ピン４６の先端部にテーパ状や球面状となるガイド面４６ａを形成しておけば、係止ピン４６を少しだけ押込み、回動軸手段４１を回動すれば、第１係止孔４８ａの縁部が前記ガイド面４６ａを介して係止ピン４６を押込み方向に押圧するので、操作が容易となる。そして、図５（Ｅ）に示すように、回動軸手段４１を起立姿勢まで回動すると、第２係止孔４８ｂが係止ピン４６に臨み、係止ピン４６が第１バネ手段４５ａにより第２係止孔４８ｂに進入させられ、回動軸手段４１を固定軸手段４０に対して自動ロックする。反対に、左右ロッド３７を起立姿勢から水平姿勢に向けて姿勢変更するように回動軸手段４１を回動するときは、上記と反対の操作を行えば良い。
【００３７】
このように、ロック機構３９は、軸支機構３８の相互に回動する固定軸手段４０と回動軸手段４１の一方により構成された内嵌部材と他方により構成された外嵌部材の間において、突出方向に付勢された押込み式の係止ピン４６と、前記係止ピン４６を挿通係止する係止孔４８ａ、４８ｂにより、押込まれた係止ピン４６を係止孔４８ａ、４８ｂに向けて自動ロックするように構成されている。
【００３８】
従って、床天板５に乗降する作業者は、係止ピン４６を押込むと共に回動軸手段４１を回動するワンタッチの操作だけで、出入口３５を開放又は閉鎖することができ、操作が簡単容易である。そして、出入口３５を開放又は閉鎖した状態で、回動軸手段４１を自動的に回動不能にロックするので、作業者がロック操作を忘れる等、操作を怠る場合でも、安全にロックされる。しかも、起立姿勢とされた左右ロッド３７は、自動ロックにより回動不能な状態とされているので、乗降中の作業者が左右ロッド３７をグリップ手段として握持することができ、作業者の落下を防止し、安全性に寄与する。
【００３９】
図示実施形態は、左右フレーム９により形成した固定軸手段４０を内嵌部材とし、円筒体により形成した回動軸手段４１を外嵌部材として、相互に回動自在に嵌合し、板バネ４５を固定軸手段４０に内装すると共に、係止孔４８ａ、４８ｂを回動軸手段４１に設けているが、これと反対の構成としても良い。つまり、固定軸手段４０を外嵌部材とし、回動軸手段４１を内嵌部材として、回動軸手段４１を固定軸手段４０に回動自在に嵌入するように構成する場合は、板バネ４５を回動軸手段４１に内装し、係止孔４８ａ、４８ｂを固定軸手段４０に設ければ良い。
【００４０】
［ロック機構の変形例］
図５に示すロック機構３９は、係止ピン４６を左右フレーム９の内側面（出入口３５に臨む側面）に配置しているので、左右ロッド３７を水平姿勢としたとき、該左右ロッド３７が係止ピン４６と平行に位置する。従って、作業者が左右ロッド３７を起立姿勢に向けて回動するために指先等で係止ピン４６を押込む際、作業空間の内部から（つまり床天板５から昇降脚２Ａに向けて降りるとき）の操作に問題はないが、作業空間の外部から（つまり昇降脚２Ａから床天板５に搭乗するとき）は、左右ロッド３７が干渉するので指先等が係止ピン４６に達し難く、操作に困難を伴うという問題がある。
【００４１】
そこで、図６（Ａ）に示す第１変形例や、図６（Ｂ）に示す第２変形例のように構成すれば、上記問題が解決される。
【００４２】
このような変形例は、左右ロッド３７が水平姿勢Ｈと起立姿勢Ｖの間で回動する回動領域Ｍに関して、係止ピン４６を回動領域Ｍの範囲外に配置している。図６（Ａ）に示す第１変形例の場合、係止ピン４６を左右フレーム９の上側に配置している。図６（Ｂ）に示す第２変形例の場合、係止ピン４６を左右フレーム９の外側面（出入口３５の反対の側面）に配置している。
【００４３】
これにより、左右ロッド３７が水平姿勢Ｈ及び起立姿勢Ｖの何れの姿勢を保持された状態でも、作業者は、作業空間の内部及び外部の何れからでも、指先等で係止ピン４６を押込むことが容易となり、操作性が向上する。
【００４４】
［位置決め固定機構］
図４及び図５に示すように、前記開閉機構３６は、更に、前記板バネ４５の第２バネ手段４５ｂを利用することにより、位置決め固定機構４９を設けており、回動軸手段４１を固定軸手段４０に対して位置決め状態で円滑に回動させるガイド手段として機能すると共に、回動軸手段４１の抜止め固定手段として機能する。
【００４５】
位置決め固定機構４９は、前記第２バネ手段４５ｂから挿通孔４７ｂを介して前記内嵌部材（図例の場合は固定軸手段４０）の表面に突出するガイドピン５０と、前記外嵌部材（図例の場合は回動軸手段４１）の周方向に延設されたスリット５１により構成されており、前記ガイドピン５０をスリット５１に摺動自在に挿通している。
【００４６】
前記スリット５１は、回動軸手段４１を回動したとき、前記水平姿勢に対応してガイドピン５０に当接する位置に形成された第１端部５１ａと、前記起立姿勢に対応してガイドピン５０に当接する位置に形成された第２端部５１ｂを備えており、第１端部５１ａと第２端部５１ｂの間で回動軸手段４１の周方向に延びるように形成されている。
【００４７】
位置決め固定機構４９は、左右ロッド３７を図５（Ｃ）に示す水平姿勢とするように回動軸手段４１を回動したとき、ガイドピン５０と第１端部５１ａが当接することにより、該水平姿勢にて位置決めを行い、第１係止孔４８ａを係止ピン４６に臨ませ、自動ロックを良好に行わせる。また、左右ロッド３７を図５（Ｅ）に示す起立姿勢となるように回動軸手段４１を回動したとき、ガイドピン５０と第２端部５１ｂが当接することにより、該起立姿勢にて位置決めを行い、第２係止孔４８ｂを係止ピン４６に臨ませ、自動ロックを良好に行わせる。そして、回動軸手段４１の回動中は、スリット５１とガイドピン５０が相互に摺動することにより、回動軸手段４１を抜止め状態で円滑に回動させる。
【００４８】
水平姿勢と起立姿勢の何れの場合においても、回動軸手段４１は、所定の軸長範囲で固定軸手段４０を保持すると共に、直径方向の２個所に位置する係止ピン４６とガイドピン５０により、周方向及び軸方向の両方向に対して固定されている。従って、作業者が左右ロッド３７に身体を預ける等、外力を受けた場合でも、ガタツキや周方向又は軸方向の移動を生じることはない。特に、左右ロッド３７は、補強部材４４等で前記回動軸手段４１に一体化され堅固に保持されているので、作業者が身体を安定させるために握持することができるグリップ手段として好適に機能する。
【００４９】
位置決め固定機構４９に関しても、上記と同様に、図示実施形態は、固定軸手段４０を内嵌部材とし、筒体により形成した回動軸手段４１を外嵌部材として、回動自在に嵌合し、ガイドピン５０を設けた板バネ４５を固定軸手段４０に内装すると共に、スリット５１を回動軸手段４１に設けているが、これと反対の構成としても良い。つまり、固定軸手段４０を外嵌部材とし、回動軸手段４１を内嵌部材として、回動軸手段４１を固定軸手段４０に回動自在に嵌入するように構成する場合は、ガイドピン５０を設けた板バネ４５を回動軸手段４１に内装し、スリット５１を固定軸手段４０に設ければ良い。
【００５０】
［着脱構成］
図示実施形態の場合、上述のように、開閉機構３６は、左右ロッド３７を保持すると共に係止孔４８ａ、４８ｂ及びスリット５１を設けた回動軸手段４１と、係止ピン４６及びガイドピン５０を設けた一対のバネ手段４５ａ、４５ｂを備えた板バネ４５により構成されており、係止ピン４６及びガイドピン５０を係止孔４８ａ、４８ｂ及びスリット５１に挿通させることにより、固定軸手段４０に対して左右ロッド３７を設けた回動軸手段４１を組付けるように構成している。
【００５１】
そこで、前記係止ピン４６及びガイドピン５０は、バネ手段４５ａ、４５ｂに抗して押し込むことによりそれぞれの挿通孔４７ａ、４７ｂの内部に没入すると、係止孔４８ａ、４８ｂ及びスリット５１から脱するので、これにより、前記回動軸手段４１と固定軸手段４０が着脱可能となる。
【００５２】
従って、ユーザが開閉機構３６を必要としない場合は、指先（例えば親指と人差し指）で係止ピン４６及びガイドピン５０を挟み込むことにより、左右ロッド３７を備えた回動軸手段４１を固定軸手段４０（つまり枠体６）から簡単に取外すことが可能である。
【００５３】
反対に、ユーザのニーズ等により、枠体６に開閉機構３６を取付ける場合は、固定軸手段４０に回動軸手段４１を位置決めした状態で、挿通孔４７ａ、４７ｂから突出する前記係止ピン４６とガイドピン５０を係止孔４８ａ、４８ｂ及びスリット５１に挿通させれば、簡単に、開閉機構３６を取付けることができる。
【００５４】
尚、図５及び図６に示すように、係止ピン４６とガイドピン５０の構成に関して、係止ピン４６の直径及び突出量をガイドピン５０よりも大きくする等、ユーザが一対のピン４６、５０を相互に識別できるように構成することが好ましく、これにより、ユーザが左右ロッド３７を水平姿勢と起立姿勢の間で回動するためにロック機構３９を係脱させる際に、誤ってガイドピン５０を押込んでしまうことが防止される。
【００５５】
［脚体の開閉機構］
上記のように構成された脚立式作業台１において、第１脚体２と第２脚体３の間で相互に対向する延長柱部２ｂ、３ｂの上端部は、相互に、図７（Ａ）に示すように、左右フレーム９の軸方向に所定間隔をあけて配置され、この一対の延長柱部２ｂ、３ｂの上端部を前記枠体６の左右フレーム９に対して第１枢結手段１１と第２枢結手段１２により枢着することにより枢結手段４を構成している。図示実施形態の場合、左右フレーム９に直角三角形状の金属板から成るブラケット１５が固着され、該ブラケット１５に軸部材を軸支することにより、前記第１枢結手段１１と第２枢結手段１２を構成している。
【００５６】
この際、第１枢結手段１１の枢軸位置Ｐ１と第２枢結手段１２の枢軸位置Ｐ２は、左右フレーム９の延長方向に関して、所定間隔Ｌ１をあけて離間し、左右フレーム９に交差する方向に関して、所定間隔Ｌ２をあけて離間するように配置されている。従って、枢軸位置Ｐ１は、枢軸位置Ｐ２よりも左右フレーム９から所定距離Ｌ２だけ離間しており、両脚体２、３を開脚した状態で、枢軸位置Ｐ１が枢軸位置Ｐ２よりも前記距離Ｌ２だけ下方に離間するように構成されている。
【００５７】
図示実施形態の場合、ブラケット１５は、左右フレーム９の外側面に固着され、延長柱部２ｂ、３ｂの上端部の内側に臨むように配置されている。図示のように、第１脚体２の延長柱部２ｂの上端部は、前記所定距離Ｌ２に相当して、第２脚体３の延長柱部３ｂの上端部よりも短くなるように形成され、それぞれの延長柱部２ｂ、３ｂの上端に固着した軸受ブラケット１３、１４を前記ブラケット１５に軸着することにより、第１枢結手段１１と第２枢結手段１２を構成している。
【００５８】
図示実施形態では、１枚の金属板から成るブラケット１５を介して第１枢結手段１１と第２枢結手段１２を構成しているが、このようなブラケット１５の構成に限定されるものではなく、上記所定間隔Ｌ１及びＬ２を可能とする手段であれば良い。
【００５９】
上記構成の結果、図７（Ａ）に示すように両脚体２、３を開脚した状態から、第１脚体２を直立姿勢となるように姿勢変更させると、延長支柱部２ｂの上端部が第１枢結手段１１を介してブラケット１５を押し上げるので、該ブラケット１５及び左右フレーム９が第２枢結手段１２を支点として回動させられる。従って、両脚体２、３を閉脚させると、図７（Ｂ）に示すように、左右フレーム９と一対の延長柱部２ｂ、３ｂが相互に平行な鉛直姿勢となるように折り畳まれる。
【００６０】
この際、左右フレーム９を第２脚体３の延長柱部３ｂの内側に位置させ、第２枢結手段１２の枢軸Ｐ２を左右フレーム９の中心軸線と延長柱部３ｂの中心軸線の交点に配置した構成とすれば、図７（Ｂ）に示すように、左右フレーム９が第２脚体３の延長柱部３ｂの内側に重なって内嵌され、コンパクトな折り畳みを可能にする。
【００６１】
折り畳み状態において、第１枢結手段１１の枢軸位置Ｐ１は、第２枢結手段１２の枢軸位置Ｐ２よりも、前記所定間隔Ｌ１に相当して、上位に位置している。従って、折り畳まれた脚立式作業台１は、第２脚体３の下端部を接地した状態で、第１脚体２の下端部は地面から浮き上がることになる。そこで、図示実施形態の場合、両脚体２、３の開閉作業と操作性を良好にするため、両脚体２、３の間で相互に対向する延長支柱部２ｂ、３ｂの相互を回動自在に連結するリンクアーム１６が設けられている（図１及び図２参照）。
【００６２】
第１脚体２と第２脚体３に架設された前記床天板５は、両脚体２、３の開脚動作及び閉脚動作に連動して該床天板５を横向き姿勢と縦向き姿勢の間で姿勢変更する連動機構１７を設けており、該連動機構１７は、床天板５の基端部と第１脚体２を相互に横軸廻りに回動自在に枢着する枢着手段１８と、該床天板５と第２脚体３を相互に移動自在に連結する移動連結手段１９を構成している。床天板５の横向き姿勢は、水平姿勢とすることが好ましく、縦向き姿勢は、鉛直姿勢とすることが好ましい。
【００６３】
［床天板の連動機構］
図８ないし図１０に示すように、床天板５の枢着手段１８は、床天板５の基端部の両側面から下向きに枢支ブラケット２０、２０を延設し、該枢支ブラケット２０を第１脚体２の支柱２ａの内側に固着された軸支ブラケット２１に枢軸２２を介して軸着している。この際、図９（Ａ）に示すように、床天板５の側面中心を延びる軸線から枢軸２２の中心に至る垂線により規定される枢支ブラケット２０の回転半径Ｒは、上記の第１枢結手段１１と第２枢結手段１２の所定距離Ｌ２と等しくなるように構成することが好ましい。
【００６４】
図示実施形態の場合、前記枢支ブラケット２０と軸支ブラケット２１の相互には、床天板５を水平姿勢としたときに当接される凹凸を構成する凹部２３とピン２４を設けることが好ましい。
【００６５】
前記移動連結手段１９は、床天板５の両側面に設けたガイド手段２５と、第２脚体３の支柱３ａ、３ａの内側に設けた軸手段２６を備え、第１脚体２と第２脚体３を開閉する際、床天板５と第２脚体３の交差角度の変化に追従して、前記軸手段２６をガイド手段２５に沿って移動させるように構成している。
【００６６】
図示実施形態の場合、前記ガイド手段２５は、床天板５の側面に沿って延設したスリットから成るガイド溝２５ａにより形成され、前記軸手段２６は、第２脚体３の支柱３ａの内側に固着された支持ブラケット２７から突設したガイドピン２６ａにより形成されており、該ガイドピン２６ａをガイド溝２５ａに回動自在かつスライド自在に挿通することにより、支柱３ａと床天板５の交点を移動自在に連結している。
【００６７】
従って、前記軸手段２６とガイド手段２５は、第１脚体２と第２脚体３を閉脚したとき、軸手段２６をガイド手段２５の基端部（床天板５の基端部に臨む端部）に向けて移動することにより、枢着手段１８を支点として床天板５を鉛直姿勢に向けて回動させ、両脚体２、３を開脚したとき、軸手段２６をガイド手段２５の先端部（床天板５の自由端部に臨む端部）に向けて移動することにより、枢着手段１８を支点として床天板５を水平姿勢に向けて回動させるように構成されている。
【００６８】
床天板５は、先端部にロック手段２８を設けており、これに対応して、第２脚体３に第１係止手段２９が設けられ、第１脚体２に第２係止手段３０が設けられている。前記ロック手段２８は、床天板５を水平姿勢としたとき前記第１係止手段２９に係脱自在に係止し、床天板５を鉛直姿勢としたとき前記第２係止手段３０に係脱自在に係止するように構成されている。
【００６９】
図示実施形態の場合、前記ロック手段２８は、床天板５の側面下方から進退自在に突出する係止突部３１ａを備えたロッド３１と、該ロッド３１を摺動自在に支持する支持手段３２により構成され、常時は前記係止突部３１ａを突出方向に付勢するスプリング３３を設けており、前記ロッド３１の尾端部を下向きに折曲することにより操作部３１ｂを形成している。
【００７０】
床天板５は、下面に前記支持手段３２を固着することにより、該下面の両側に一対のロック手段２８、２８を配置しており、前記スプリング３３により付勢されたロッド３１の係止突部３１ａを該床天板５の下側から側方に突出させている。尚、一対のロック手段２８、２８の操作部３１ｂ、３１ｂは、作業者が片手で同時に引き寄せ可能な間隔をあけて配置され、該操作部３１ｂによりロッド３１を移動させることにより、前記係止突部３１ａを後退させる。
【００７１】
前記第１係止手段２９は、第２脚体３の支柱３ａに設けた支持ブラケット２７の係止孔２９ａにより構成され、第１脚体２と第２脚体３を開脚することにより床天板５を水平姿勢としたとき、前記ロック手段２８の係止突部３１ａを該係止孔２９ａに挿入させ、床天板５を回動不能に係止固定する。
【００７２】
前記第２係止手段３０は、第１脚体２の踏桟７に設けた一対の突片３４、３４の係止孔３０ａにより構成され、第１脚体２と第２脚体３を閉脚することにより床天板５を鉛直姿勢としたとき、前記ロック手段２８の係止突部３１ａを該係止孔３０ａに挿入させ、床天板５を回動不能に係止固定する。
【００７３】
このように両脚体２、３を閉脚すると共に床天板５を鉛直姿勢としたとき、前記支持手段３２と突片３４は、図１０（Ｂ）に示すように、相互に係止した係止突部３１ａと係止孔３０ａを両脚体２、３の間に位置させ、両脚体２、３の中心を延びる軸線の間隔Ｓを上記の第１枢結手段１１と第２枢結手段１２の所定距離Ｌ２と等しくなるように構成することが好ましい。
【００７４】
図９及び図１０に連動機構１７の作用を示している。第１脚体２と第２脚体３を開脚したとき、図９（Ａ）に示すように、両脚体２、３が広がることにより、軸手段２６がガイド手段２５の先端部に向けて移動し、枢着手段１８を支点として床天板５を水平姿勢に向けて回動させ、枢支ブラケット２０の凹部２３が軸支ブラケット２１のピン２４に当接することにより、床天板５を水平姿勢に保持する。この状態で、床天板５は、基端部を枢軸２２により支持され、先端部をガイドピン２６ａにより支持されており、作業者の荷重を好適に支持できるが、安全のため、ロック手段２８が第１係止手段２９に係止される。
【００７５】
前記係止孔２９ａから成る第１係止手段２９を設けた支持ブラケット２７は、図８に示すように、係止孔２９ａに向かう傾斜壁面によりガイド面２７ａを形成しており、これにより、床天板５を水平姿勢となるように回動したとき、ロッド３１の係止突部３１ａをガイド面２７ａに沿って摺動させることにより後退させ、該係止突部３１ａが係止孔２９ａに臨んだとき、スプリング３３により該係止孔２９ａに自動的に挿入させるように構成することが好ましい。
【００７６】
両脚体２、３を開脚した状態で、ロック手段２８を第１係止手段２９に係止固定すると、床天板５は、回動不能状態で両脚体２、３を連結する。従って、これにより、両脚体２、３は、閉脚不能状態に固定保持されるので、作業者の高所作業の安全性が確保される。
【００７７】
開脚状態から第１脚体２と第２脚体３を閉脚するときは、一対の操作部３１ｂ、３１ｂを引き寄せて係止突部３１ａを係止孔２９ａから後退させることにより、ロック手段２８と第１係止手段２９の係止を解除した後、上述のように第１脚体２を持ち上げながら閉脚すれば良い。これにより、図１０（Ａ）に示すように、相対的に、第１脚体２が上向き移動し、第２脚体３が下向き移動しながら、相互の間隔を狭めると共に、床天板５に設けたガイド溝２５ａと第２脚体３の交差角度を変化させるので、ガイドピン２６ａがガイド溝２５ａの基端部に向けて移動しつつ、該ガイド溝２５ａを押動することにより、床天板５を鉛直姿勢に向けて下向きに回動する。
【００７８】
前記係止孔３０ａから成る第２係止手段３０を設けた突片３４は、図８に示すように、係止孔３０ａに向かう傾斜壁面によりガイド面３４ａを形成しており、これにより、床天板５を鉛直姿勢となるように回動したとき、ロッド３１の係止突部３１ａをガイド面３４ａに沿って摺動させることにより後退させ、該係止突部３１ａが係止孔３０ａに臨んだとき、スプリング３３により該係止孔３０ａに自動的に挿入させるように構成することが好ましい。
【００７９】
両脚体２、３を閉脚した状態で、ロック手段２８を第２係止手段３０に係止固定すると、床天板５は、回動不能状態で両脚体２、３を連結する。従って、これにより、両脚体２、３は、開脚不能状態に固定保持されるので、折り畳んだ脚立式作業台を作業者が運搬する際、両脚体２、３が不慮に開脚するおそれはない。
【００８０】
枢結手段４を構成する第１枢結手段１１と第２枢結手段１２に関して上述したように、閉脚状態において、第１脚体２の延長柱部２ｂを含む支柱２ａと、第２脚体３の延長柱部３ｂを含む支柱３ａは、枠体６の左右フレーム９を前記延長柱部３ｂ、３ｂに重ねて内嵌させた状態で、所定距離Ｌ２を介して平行な鉛直姿勢となるように折り畳まれる。このような両脚体２、３のコンパクトな折り畳みに応じて、床天板５の連動機構１７は、上述のように、枢支ブラケット２０の回転半径Ｒと、ロック手段２８の支持手段３２と第２係止手段３０の突片３４により形成される間隔Ｓを、前記所定距離Ｌ２と等しくするように構成している。従って、図１０（Ｂ）に示すように、床天板５の基端部が前記回転半径の上で縦向き姿勢とされ、先端部が前記間隔Ｓを保持する縦向き姿勢とされるので、床天板５は、全体が鉛直姿勢とされると共に、第２脚体３の支柱３ａ、３ａに重ねて内嵌させられ、コンパクトに格納される。
【００８１】
閉脚状態から第１脚体２と第２脚体３を開脚する場合は、一対の操作部３１ｂ、３１ｂを引き寄せて係止突部３１ａを係止孔３０ａから後退させることにより、ロック手段２８と第２係止手段３０の係止を解除した後、両脚体２、３を広げれば良い。これにより、両脚体２、３が相互の間隔を広げると共に、床天板５に設けたガイド溝２５ａと第２脚体３の交差角度を変化させるので、ガイドピン２６ａがガイド溝２５ａの先端部に向けて移動しつつ、該ガイド溝２５ａを押動することにより、床天板５を水平姿勢に向けて上向きに回動する。
【００８２】
図示実施形態の場合、前記ロック手段２８を進退自在なロッド３１の係止突部３１ａにより構成し、第１係止手段２９及び第２係止手段３０をそれぞれ係止孔２９ａ、３０ａにより構成しているが、反対の構成、つまり、ロック手段２８を係止孔により構成し、第１係止手段２９及び第２係止手段３０をそれぞれ前記係止孔に係脱自在に係止する係止突部により構成しても良い。
【００８３】
上記のように構成した脚立式作業台１を開脚状態から閉脚する作業手順と作用を図１１に示している。図１１（Ａ）に示す開脚状態から閉脚作業を行う際は、先ず、第１脚体２の上端部を上昇させる。例えば、図１１（Ｂ）に示すように、第１脚体２を直立姿勢とすれば、上端部を簡単に上昇させることができる。これにより、第２脚体３は、第１脚体２に対して相対的に下降するので、上述のように枠体６の左右フレーム９が回動を開始すると共に、床天板５がガイドピン２６ａの摺動により回動を開始する。そこで、図１１（Ｃ）に示すように第２脚体３を接地させると共に第１脚体２を持ち上げると、上述のように、両脚体２、３が平行姿勢となるように閉脚され、枠体６が第２脚体３の支柱３ａ、３ａの間に格納され、床天板５が第２脚体３の支柱３ａ、３ａの間に格納されることにより、図１１（Ｄ）に示すようなコンパクトな折り畳み状態が得られる。脚立式作業台１を閉脚状態から開脚する場合は、前記と反対の作業手順を行えば良い。
【００８４】
従って、脚立式作業台１は、開脚状態から閉脚するときは、単に第１脚体２を直立姿勢となるように姿勢変更すると共に、第２脚体３を接地させるだけで良く、反対に、閉脚状態から開脚するときは、浮き上がった状態の第１脚体２を引き下げながら両脚体２、３を開かせるだけで良く、何れの作業もワンタッチで簡単容易に行うことができる。
【００８５】
この際、作業者が手で握持することにより操作を行う第１脚体２は、上述のように昇降脚２Ａを構成しているので、更に作業が容易となる。即ち、開脚に際して、作業者は、第１脚体２（昇降脚２Ａ）の正面側から開脚作業を行い、開脚後は、開脚作業位置から直ちに上方の作業空間に昇ることができる。また、閉脚に際して、作業者は、作業空間から第１脚体２（昇降脚２Ａ）を経て地上に下りた後、その位置から直ちに閉脚作業を行うことができる。
【００８６】
［別の実施形態］
両脚体２、３の開閉機構に関して、図示実施形態のように第１枢結手段１１の枢軸位置Ｐ１と第２枢結手段１２の枢軸位置Ｐ２を所定間隔Ｌ１及び所定間隔Ｌ２の条件に基づいて配置し、ブラケット１５又は左右フレーム９により連結する構成とすることが好ましいが、本発明が目的とする床天板５の連動機構１７は、このような開閉機構とは異なる枢結手段４により両脚体２、３を枢結した脚立式作業台にも適用することが可能である。
【００８７】
図示実施形態の場合、床天板５の連動機構１７は、開脚時に水平姿勢を保持する床天板５を閉脚時に下向きに回動させる例を示したが、水平姿勢から上向きに回動させることにより折り畳むように構成しても良く、この場合、枢着手段１８を構成する枢支ブラケット２０を床天板５の基端部から上向きに延設すれば良く、第２係止手段３０を第１脚体２の上方位置に設ければ良い。
【００８８】
また、ガイド手段２５と軸手段２６は、図示実施形態とは反対の構成とし、軸手段２６を床天板５の先端部の両側に設け、ガイド手段２５を第２脚体３の支柱３ａ、３ａに沿って設けても良い。
【００８９】
更に、ガイドピン２６ａから成る軸手段２６は、図示実施形態のように第２脚体３の支柱３ａと床天板５の交点に配置する他、ブラケット等を介して交点から外れた位置に設けても良い。
【符号の説明】
【００９０】
１  脚立式作業台
２  第１脚体
２Ａ  昇降脚
２ａ  支柱
２ｂ  延長支柱部
３  第２脚体
３Ａ  非昇降脚
３ａ  支柱
３ｂ  延長支柱部
４  枢結手段
５  床天板
６  枠体
７  踏桟
８  連結桟
９  左右フレーム
１０  交差フレーム
１１  第１枢結手段
１２  第２枢結手段
１３、１４  軸受ブラケット
１５  ブラケット
１６  リンクアーム
１７  連動機構
１８  枢着手段
１９  移動連結手段
２０  枢支ブラケット
２１  軸支ブラケット
２２  枢軸
２３  凹部
２４  ピン
２５  ガイド手段
２５ａ  ガイド溝
２６  軸手段
２６ａ  ガイドピン
２７  支持ブラケット
２７ａ  ガイド面
２８  ロック手段
２９  第１係止手段
２９ａ  係止孔
３０  第２係止手段
３０ａ  係止孔
３１  ロッド
３１ａ  係止突部
３１ｂ  操作部
３２  支持手段
３３  スプリング
３４  突片
３４ａ  ガイド面
３５  出入口
３６  開閉機構
３７Ｒ、３７Ｌ  左右ロッド
３８  軸支機構
３９  ロック機構
４０  固定軸手段
４１  回動軸手段
４２、４３  保持片
４３ａ  延長部
４４  補強部材
４５  板バネ
４５ａ  第１バネ手段
４５ｂ  第２バネ手段
４６  係止ピン
４６ａ  ガイド面
４７ａ  ４７ｂ  挿通
４８ａ  第１係止孔
４８ｂ  第２係止孔
４９  位置決め固定機構
５０  ガイドピン
５１  スリット
５１ａ  第１端部
５１ｂ  第２端部
【図１】
2015113595.tif 000003
【図２】
2015113595.tif 000004
【図３】
2015113595.tif 000005
【図４】
2015113595.tif 000006
【図５】
2015113595.tif 000007
【図６】
2015113595.tif 000008
【図７】
2015113595.tif 000009
【図８】
2015113595.tif 000010
【図９】
2015113595.tif 000011
【図１０】
2015113595.tif 000012
【図１１】
2015113595.tif 000013